(57)【要約】【課題】  無線機器が移動しても無線ＬＡＮ基地局と適切な通信周波数で接続する無線機器を実現する。【解決手段】  少なくとも１つの無線端末と無線接続可能な第１の無線部と、管理サーバに接続される基地局と無線接続可能な第２の無線部と、位置情報を受信可能な位置情報受信部と、前記第１の無線部が通信中で無ければ所定の時間毎に前記第１の無線部が接続可能なチャネルを調査した結果を前記位置情報とともに前記管理サーバに送信し、前記無線端末から接続要求があると前記管理サーバに位置情報とともに接続可能なチャネルの指定を要求する信号を送信することで前記管理サーバから送信される、前記管理サーバが記憶する前記位置情報に略一致する地点の接続可能チャネルを指定する信号に従って第１の無線部が前記無線端末と接続する指示を行う制御部を備える。【選択図】      図７
2018098644.tif 000002
【特許請求の範囲】
【請求項１】
少なくとも１つの無線端末と無線接続可能な第１の無線部と、
管理サーバに接続される基地局と無線接続可能な第２の無線部と、
位置情報を受信可能な位置情報受信部と、
前記第１の無線部が通信中で無ければ所定の時間毎に前記第１の無線部が接続可能なチャネルを調査した結果を前記位置情報とともに前記第２の無線部と前記基地局を介して前記管理サーバに送信し、
前記無線端末から接続要求があると前記第２の無線部と前記基地局を介して前記管理サーバに位置情報とともに接続可能なチャネルの指定を要求する信号を送信することで前記管理サーバから送信される、前記管理サーバが記憶する前記位置情報に略一致する地点の接続可能チャネルを指定する信号に従って前記第１の無線部が前記無線端末と接続する指示を行う制御部を備えることを特徴とする無線機器。
【請求項２】
前記第１の無線部と前記無線端末は、IEEE802.11.に規定される無線ＬＡＮのＷ５６で接続可能であり、
前記接続可能なチャネルは、前記Ｗ５６のチャネルのうち、レーダ波が検知されず、かつ無線端末が使用していないチャネルであることを特徴とする請求項１に記載の無線機器。
【請求項３】
前記接続可能なチャネルが無い場合、前記第１の無線部は前記無線端末と２．４ＧＨｚ帯で接続することを特徴とする請求項２に記載の無線機器。
【請求項４】
前記基地局と前記無線端末とを中継して通信可能であることを特徴とする請求項１乃至請求項３のいずれかに記載の無線機器。
【請求項５】
無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を受信して記憶する記憶部を備え、
無線端末から前記無線機器に接続要求があると、前記無線機器が前記第２の無線部と前記基地局を介して送信する、前記無線機器の位置情報と接続可能なチャネルの指定を要求する信号を受信すると、前記記憶部を参照して前記チャネルの指示を要求する信号とともに受信した前記位置情報に略一致する地点の前記接続可能なチャネルを指定する信号を前記無線機器に送信する指示を行う制御部とを備えることを特徴とする無線通信管理サーバ。
【請求項６】
前記第１の無線部と前記無線端末は、IEEE802.11.に規定される無線ＬＡＮのＷ５６で接続可能であり、
前記接続可能なチャネルは、前記Ｗ５６のチャネルのうち、レーダ波が検知されず、かつ無線端末が使用していないチャネルであることを特徴とする請求項５に記載の無線通信管理サーバ。
【請求項７】
請求項１乃至請求項４のいずれかに記載の無線機器と、
前記無線端末と、
前記基地局と、
前記無線管理サーバとを備えることを特徴とする無線通信システム。
【請求項８】
無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を管理サーバが記憶し、
無線端末から前記無線機器に接続要求があると、前記無線機器は前記無線機器の位置情報とともに接続可能なチャネルの指定を要求する信号を、前記第２の無線部と前記基地局を介して前記管理サーバに送信し、
前記管理サーバは、前記チャネルの指定を要求する信号とともに受信した前記位置情報と、前記記憶部に記憶する位置情報と略一致する地点の前記接続可能なチャネルを指定する信号を前記無線機器に送信することを特徴とする無線通信方式。
【請求項９】
第１の無線部が通信中で無ければ所定の時間毎に前記第１の無線部が接続可能なチャネルを調査した結果を位置情報とともに管理サーバに送信し、
無線端末から接続要求があると前記管理サーバに位置情報とともに接続可能なチャネルの指定を要求し、
前記管理サーバから受信する前記位置情報に略一致する地点の接続可能チャネルの指定に従って前記第１の無線部が前記無線端末と接続することを特徴とする無線機器のプログラム。
【請求項１０】
無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を受信して記憶し、
無線端末から前記無線機器に接続要求があると、前記無線機器が前記第２の無線部と前記基地局を介して送信する、前記無線機器の位置情報と接続可能なチャネルの指定を要求する信号を受信すると、前記記憶部を参照して前記チャネルの指示を要求する信号とともに受信した前記位置情報に略一致する地点の前記接続可能なチャネルを指定する信号を前記無線機器に送信する指示を行うことを特徴とする無線通信管理サーバのプログラム。
【発明の詳細な説明】
【技術分野】
【０００１】
本発明は、無線機器、無線通信管理サーバ、無線通信システム、無線通信方式、無線機器のプログラム、および無線通信管理サーバのプログラムに関するものである。
【背景技術】
【０００２】
近年、持ち運びができ、屋外でも使用可能なモバイルルータの需要が増加している。モバイルルータは、ＷＡＮ（Wide Area Network）とＬＡＮ（Local Area Network）をそれぞれ無線で接続する。
【０００３】
無線ＬＡＮの使用周波数は、２．４ＧＨｚ帯と５ＧＨｚ帯があり、５ＧＨｚ帯はＷ５２、Ｗ５３、およびＷ５６の周波数帯に分類される。これらの周波数帯のうち、屋外で使用可能な周波数帯は、２．４ＧＨｚ帯とＷ５６である。
【０００４】
５ＧＨｚ帯は２．４ＧＨｚ帯より通信容量が大きいので、屋外で使用する際は、Ｗ５６を２．４ＧＨｚより優先的に使用する。
【０００５】
しかし、屋外でＷ５６を使用する際は、送信開始前にＣＡＣ（Channel Availability Check）を行ってレーダ（radar）波の有無を確認し、レーダ波を検知した場合は、無線ＬＡＮの使用周波数を他の周波数に変える、ＤＦＳを行うことが義務づけられている。ＤＦＳは、Dynamic Frequency Selectionの略で、動的周波数選択とも訳される。
【０００６】
ＤＦＳを行った結果、無線ＬＡＮの使用周波数が移動して、移動先の周波数が他の通信で混雑していると、スループット（Throughput）が低下する問題があった。
【０００７】
そこで、特許文献１では、レーダの使用周波数を避け、かつ混雑していない周波数を割当てて無線ＬＡＮの接続を行う技術が示されている。
【先行技術文献】
【特許文献】
【０００８】
【特許文献１】特開２０１５−０９５８３８号公報
【発明の概要】
【発明が解決しようとする課題】
【０００９】
しかし、特許文献１の技術は、モバイルルータの様に無線ＬＡＮ基地局が移動することは想定していない。そのため、特許文献１の技術によると、無線ＬＡＮ基地局が移動した場合に、レーダが不使用で、かつ混雑していない無線ＬＡＮの接続周波数を決定することは困難である。
【００１０】
本発明の無線機器、無線通信管理サーバ、無線通信システム、無線通信方式、無線機器のプログラム、および無線通信管理サーバのプログラムは、無線機器が移動しても無線ＬＡＮ基地局と適切な通信周波数で接続することを目的とする。
【課題を解決するための手段】
【００１１】
上記の目的を達成するために、本発明の無線機器は、少なくとも１つの無線端末と無線接続可能な第１の無線部と、管理サーバに接続される基地局と無線接続可能な第２の無線部と、位置情報を受信可能な位置情報受信部と、前記第１の無線部が通信中で無ければ所定の時間毎に前記第１の無線部が接続可能なチャネルを調査した結果を前記位置情報とともに前記第２の無線部と前記基地局を介して前記管理サーバに送信し、前記無線端末から接続要求があると前記第２の無線部と前記基地局を介して前記管理サーバに位置情報とともに接続可能なチャネルの指定を要求する信号を送信することで前記管理サーバから送信される、前記管理サーバが記憶する前記位置情報に略一致する地点の接続可能チャネルを指定する信号に従って第１の無線部が前記無線端末と接続する指示を行う制御部を備える。
【００１２】
上記の目的を達成するために、本発明の無線通信管理サーバは、無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を受信して記憶する記憶部を備え、無線端末から前記無線機器に接続要求があると、前記無線機器が前記第２の無線部と前記基地局を介して送信する、前記無線機器の位置情報と接続可能なチャネルの指定を要求する信号を受信すると、前記記憶部を参照して前記チャネルの指示を要求する信号とともに受信した前記位置情報に略一致する地点の前記接続可能なチャネルを指定する信号を前記無線機器に送信する指示を行う制御部とを備える。
【００１３】
上記の目的を達成するために、本発明の無線通信システムは、少なくとも１つの無線端末と無線接続可能な第１の無線部と、管理サーバに接続される基地局と無線接続可能な第２の無線部と、位置情報を受信可能な位置情報受信部と、前記第１の無線部が通信中で無ければ所定の時間毎に前記第１の無線部が接続可能なチャネルを調査した結果を前記位置情報とともに前記第２の無線部と前記基地局を介して前記管理サーバに送信し、前記無線端末から接続要求があると前記第２の無線部と前記基地局を介して前記管理サーバに位置情報とともに接続可能なチャネルの指定を要求する信号を送信することで前記管理サーバから送信される、前記管理サーバが記憶する前記位置情報に略一致する地点の接続可能チャネルを指定する信号に従って第１の無線部が前記無線端末と接続する指示を行う制御部を有することを特徴とする無線機器と、前記無線端末と、前記基地局と、前記無線管理サーバとを備える。
【００１４】
上記の目的を達成するために、本発明の無線通信方式は、無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を管理サーバが記憶し、無線端末から前記無線機器に接続要求があると、前記無線機器は前記無線機器の位置情報とともに接続可能なチャネルの指定を要求する信号を、前記第２の無線部と前記基地局を介して前記管理サーバに送信し、前記管理サーバは、前記チャネルの指定を要求する信号とともに受信した前記位置情報と、前記記憶部に記憶する位置情報と略一致する地点の前記接続可能なチャネルを指定する信号を前記無線機器に送信する。
【００１５】
上記の目的を達成するために、本発明の無線機器のプログラムは、第１の無線部が通信中で無ければ所定の時間毎に前記第１の無線部が接続可能なチャネルを調査した結果を位置情報とともに管理サーバに送信し、無線端末から接続要求があると前記管理サーバに位置情報とともに接続可能なチャネルの指定を要求し、前記管理サーバから受信する前記位置情報に略一致する地点の接続可能チャネルの指定に従って前記第１の無線部が前記無線端末と接続する。
【００１６】
上記の目的を達成するために、本発明の無線通信管理サーバのプログラムは、無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を受信して記憶し、無線端末から前記無線機器に接続要求があると、前記無線機器が前記第２の無線部と前記基地局を介して送信する、前記無線機器の位置情報と接続可能なチャネルの指定を要求する信号を受信すると、前記記憶部を参照して前記チャネルの指示を要求する信号とともに受信した前記位置情報に略一致する地点の前記接続可能なチャネルを指定する信号を前記無線機器に送信する指示を行う。
【発明の効果】
【００１７】
本発明によれば、無線機器、無線通信管理サーバ、無線通信システム、無線通信方式、無線機器のプログラム、および無線通信管理サーバのプログラムは、無線機器が移動しても無線ＬＡＮ基地局と適切な通信周波数で接続することが可能になる。
【図面の簡単な説明】
【００１８】
【図１】第１の実施形態の構成例を示す図である。
【図２】第１の実施形態の動作を示す図である。
【図３】第１の実施形態の動作を説明する図である。
【図４】第２の実施形態の構成例を示す図である。
【図５】第２の実施形態の動作を示す図である。
【図６】第２の実施形態の動作を示す図である。
【図７】第３の実施形態の構成例を示す図である。
【発明を実施するための形態】
【００１９】
［第１の実施形態］
次に、本発明の実施の形態について、図１乃至図４を参照して詳細に説明する。
［構成の説明］
図１に第１の実施形態の構成を示す。
【００２０】
無線通信システム１０は、複数のモバイルルータ１００、複数のＷＡＮ基地局２００、管理サーバ３００、および複数の無線ＬＡＮ端末４００によって構成される。
【００２１】
尚、モバイルルータ１００、ＷＡＮ基地局２００、および無線ＬＡＮ端末４００は、それぞれ１つであっても良い。
【００２２】
モバイルルータ１００は、ＷＡＮ無線部１０１、ＬＡＮ無線部１０２、ＧＰＳ（Global Positioning System）受信部１０３、制御部１０４、記憶部１０５、およびタイマ１０６によって構成される無線機器である。
【００２３】
ＷＡＮ無線部１０１は、ＷＡＮ基地局２００と無線通信を行う送受信回路を含む無線部である。ＷＡＮとの接続は、ＷｉＭＡＸ２＋（登録商標）の無線方式に従って通信を行う。ＷＡＮ無線部１０１は第２の無線部ともいう。
【００２４】
尚、ＷＡＮとの接続は、ＷｉＭＡＸ２＋以外にも、ＬＴＥ（Long Term Evolution）など他の無線通信方式であっても良い。
【００２５】
ＬＡＮ無線部１０２は、無線ＬＡＮ端末４００と無線ＬＡＮ通信を行う送受信回路を含む無線部である。無線ＬＡＮは、IEEE（The Institute of Electrical and Electronics Engineers, Inc.）が定めるIEEE802.11の規格に従った通信方式に従って通信を行う。ＬＡＮ無線部１０２は、第１の無線部ともいう。
【００２６】
ＧＰＳ受信部１０３は、ＧＰＳ衛星が発信する電波を受信する受信回路を含み、モバイルルータ１００の位置情報を取得する。ＧＰＳ受信部１０３は、位置情報受信部ともいう。
【００２７】
制御部１０４はＣＰＵ（Central Processing Unit；中央処理装置）を含み、モバイルルータ１００のハードウェアの制御とソフトウェア処理を行う。
【００２８】
記憶部１０５は記憶素子であり、制御部１０４の指示により情報を読み書きする。
【００２９】
タイマ１０６は計時機能をもち、制御部１０４の指示で計時を開始し、所定の時間を経過すると計時終了の信号を発信する。タイマ１０６は、制御部１０４に組み込まれたソフトウェアで実現されても良い。
【００３０】
ＷＡＮ基地局２００は、ＷＡＮに接続される基地局で、モバイルルータ１００と無線で接続する。また、各ＷＡＮ基地局は、管理サーバ３００に接続されている。
【００３１】
管理サーバ３００は、複数のＷＡＮ基地局２００を介して複数のモバイルルータ１００からの情報を取得する。更に、管理サーバ３００は、複数のＷＡＮ基地局２００を介して複数のモバイルルータ１００に対して指示する信号を発信する。
【００３２】
また、管理サーバ３００は、制御部３０１と記憶部３０２を備える。
【００３３】
制御部３０１はＣＰＵを含み、管理サーバ３００のハードウェアの制御とソフトウェア処理を行う。
【００３４】
記憶部３０２は、記憶素子からなり情報を記憶する。
【００３５】
無線ＬＡＮ端末４００は、前述のモバイルルータ１００のＬＡＮ無線部１０２と接続する無線端末である。
［動作の説明］
次に本実施形態の動作について、図１乃至図４を参照して説明する。
【００３６】
図２、および図３は、無線通信システム１０の動作を示す図である。
【００３７】
はじめに、モバイルルータ１００の電源が投入される（Ｓ１０１）。
【００３８】
すると、モバイルルータ１００のＷＡＮ無線部１０１は、ＷＡＮ基地局２００と、ＷｉＭＡＸ２＋の無線方式に従って無線接続を行う（Ｓ１０２）。
【００３９】
次に、ＷＡＮ基地局２００は管理サーバ３００と接続する（Ｓ１０３）。ＷＡＮ基地局２００と管理サーバ３００との接続は、イーサネット（登録商標）（Ethernet（登録商標））等の通信方式を用いても良い。
【００４０】
すると、管理サーバ３００の制御部３０１は、ＷＡＮ基地局２００を介してモバイルルータ１００にモバイルルータ１００の位置情報を送信する指示をする信号を発信する。
【００４１】
モバイルルータ１００がモバイルルータ１００の位置情報を送信する指示をする信号を受信すると、ＧＰＳ受信部１０３はモバイルルータ１００の位置情報を取得する。
【００４２】
そして、ＷＡＮ無線部１０１は、モバイルルータ１００の位置情報をＷＡＮ基地局２００に対して送信する（Ｓ１０４）。
【００４３】
ＷＡＮ基地局２００で受信したモバイルルータ１００の位置情報は、管理サーバ３００に伝送される。
【００４４】
管理サーバ３００の制御部３０１は、モバイルルータ１００から取得した位置情報を、記憶部３０２が記憶する位置情報と一致するかどうかを判断する（Ｓ１０５）。
【００４５】
ここで、記憶部３０２が記憶する位置情報と一致するとは、緯度経度などの位置が完全に一致しなくとも、予め決めた所定の範囲（例えば１００メートル等）のずれであれば一致すると見なす。
【００４６】
ステップＳ１０５で位置情報が一致すると判断されると（Ｓ１０５でＹ）、ステップＳ１０６にすすむ。
【００４７】
ステップＳ１０５で位置情報が一致しないと判断されると（Ｓ１０５でＮ）、結合子Ａから図３のステップＳ１１６にすすむ。
【００４８】
ステップＳ１０６で、管理サーバ３００の制御部３０１は、ＬＡＮ無線部１０２が接続する推奨チャネル（推奨周波数と称しても良い）があるかどうかを判断する（Ｓ１０６）。
【００４９】
推奨チャネルがあるかどうかの判断は、以下の様に行う。
【００５０】
記憶部３０２には、図４の様な位置情報、および位置情報に関連付けられたレーダ周波数、無線ＬＡＮ使用周波数の情報が記憶されている。これらの情報は、無線通信システム１０の運用の初期状態では何も記憶されていないが、モバイルルータ１００が使用される都度、後述の様に情報が追加して記憶されていく。
【００５１】
そして、推奨チャネルとは、モバイルルータ１００から取得した位置情報に対応する、レーダ検出チャネルと無線ＬＡＮ使用チャネル以外の、Ｗ５６のチャネルのことである。
【００５２】
Ｗ５６の全てのチャネルが、レーダ検出チャネル、または無線ＬＡＮ使用チャネルであると、推奨チャネルは無い。
【００５３】
以上の様にして、管理サーバ３００の制御部３０１は、推奨チャネルの有無を判断する。
【００５４】
ステップＳ１０６で、推奨チャネルがあると判断されると（Ｓ１０６でＹ）、ステップＳ１０７にすすむ。
【００５５】
ステップＳ１０７では、管理サーバ３００は、ＷＡＮ基地局２００を介してモバイルルータ１００に対して推奨チャネルを伝える信号を送信する。そして、モバイルルータ１００が推奨チャネルを伝える信号を受信すると、ＬＡＮ無線部１０２は、無線ＬＡＮ端末４００と推奨チャネルで接続を確立する（Ｓ１０７）。
【００５６】
ステップＳ１０７を終わると、ステップＳ１０８にすすむ。
【００５７】
ステップＳ１０６で、推奨チャネルが無いと判断されると（Ｓ１０６でＮ）、結合子Ｂから図３のステップＳ１２１にすすむ。
【００５８】
図２の結合子Ａに接続される図３のＳ１１６では、管理サーバ３００は、ＷＡＮ基地局２００を介してモバイルルータ１００に対してモバイルルータ１００の位置に対応するチャネル情報が無いことを伝える信号を送信する。モバイルルータ１００は、チャネル情報が無いことを伝える信号を受信する（Ｓ１１６）。
【００５９】
ＬＡＮ無線部１０２は、Ｗ５６のチャネルのうち管理サーバが検知していない何れかのチャネルで、法令に定められるＣＡＣ（Channel Availability Check）を行う（Ｓ１１７）。
【００６０】
ＣＡＣは、運用前モニタリング（monitoring）とも称され、無線通信の運用前に６０秒間、レーダ波の有無を確認する作業である。
【００６１】
ステップＳ１１７のＣＡＣの結果、制御部１０４はＬＡＮ無線部１０２がレーダ波を検出したかどうかを判断する（Ｓ１１８）。
【００６２】
ステップＳ１１８で、制御部１０４がレーダ波を検出したと判断すると（Ｓ１１８でＹ）、制御部１０４は記憶部１０５にレーダ波の検出チャネルを記憶し、ステップＳ１１７へ戻る。
【００６３】
ステップＳ１１８で、レーダ波を検出しないと判断されれば（Ｓ１１８でＮ）、ステップＳ１１９にすすむ。
【００６４】
ステップＳ１１９では、ＬＡＮ無線部１０２は、レーダ波を検出しなかったチャネルで、無線ＬＡＮ端末４００と接続する（Ｓ１１９）。
【００６５】
ＬＡＮ無線部１０２と無線ＬＡＮ端末４００との接続は、IEEE802.11の規格に従う。
【００６６】
ステップＳ１１９を終わるとステップＳ１２０にすすむ。
【００６７】
ステップＳ１２０で、モバイルルータ１００の制御部１０４はＧＰＳ受信部１０３からモバイルルータ１００の位置情報を取得する。そして、位置情報と共に、ステップＳ１１９で接続した無線ＬＡＮ接続チャネルと、記憶部１０５を参照してＣＡＣを行ってレーダ波を検出したチャネルを、ＷＡＮ無線部１０１からＷＡＮ基地局２００に送信する。更に、ＷＡＮ基地局２００は、受信した情報を管理サーバ３００に送信する。管理サーバ３００は、これらの情報を記憶部３０２に記憶する（Ｓ１２０）。
【００６８】
ここで、記憶部３０２が記憶する情報は、図３に示す様に、モバイルルータ１００の識別情報、モバイルルータ１００の位置情報、レーダ不検出チャネル、および無線ＬＡＮ接続中チャネルである。
【００６９】
ステップＳ１２０を終わると、結合子Ｃから図２のステップＳ１０８にすすむ。
【００７０】
結合子Ｂに続く、ステップＳ１２１では、管理サーバ３００の制御部３０１は、記憶部３０２を参照してレーダ波が検知されていないチャネルを１つ選択して、チャネルを伝える信号をモバイルルータ１００に送信する。モバイルルータ１００は、レーダ波が検知されていないチャネルを受信する（Ｓ１２１）。
【００７１】
そして、モバイルルータ１００のＬＡＮ無線部１０２は、無線ＬＡＮ端末４００とステップＳ１２１で受信したチャネルで接続する（Ｓ１２２）。
【００７２】
ステップＳ１２２を終えると、結合子Ｃから図２のステップＳ１０８にすすむ。
【００７３】
ステップＳ１０８では、モバイルルータ１００の制御部１０４は、ＬＡＮ無線部１０２が通信中かどうかを判断する（Ｓ１０８）。
【００７４】
ステップＳ１０８で、通信中であると判断されると（Ｓ１０８でＹ）、ステップＳ１０８に戻る。ステップＳ１０８で、通信中でないと判断されると（Ｓ１０８でＮ）、ステップＳ１０９にすすむ。
【００７５】
ステップＳ１０９では、制御部１０４は、ＬＡＮ無線部１０２に対して、Ｗ５６のチャネルのうちレーダ波および無線ＬＡＮ端末４００の使用状況を調査していないチャネルを指定して、チャネルの使用状況を調査する指示を行う。ここで、制御部１０４が指定するチャネルは、Ｗ５６でＣＡＣおよび無線ＬＡＮ使用状況の調査を実行していないチャネルのうち、Ｗ５６の低いチャネル番号から順番の１チャネル、または複数チャネルとしても良い。
【００７６】
ＬＡＮ無線部１０２は、制御部１０４に指定されたチャネルの使用状況の調査を実行し、結果を制御部１０４に伝える。そして、制御部１０４は、使用状況の調査を実行したチャネルと、レーダ波の有無、および無線ＬＡＮ端末４００の使用状況を、記憶部１０５に記憶する（Ｓ１０９）。
【００７７】
ステップＳ１１０では、制御部１０４は、タイマ１０６の計時機能をゼロにリセットして、計時を開始する（Ｓ１１０）。
【００７８】
ステップＳ１１１では、制御部１０４は、ＬＡＮ無線部１０２に無線ＬＡＮ端末４００から接続要求があるかどうかを判断する（Ｓ１１１）。
【００７９】
ステップＳ１１１で、接続要求があると判断されると（Ｓ１１１でＹ）、ステップＳ１０４に戻る。
【００８０】
ステップＳ１１１で、接続要求がないと判断されると（Ｓ１１１でＮ）、ステップＳ１１２にすすむ。
【００８１】
ステップＳ１１２で、制御部１０４は、タイマ１０６の計時が予め決められている所定の時間を経過したかどうかを判断する（Ｓ１１２）。
【００８２】
ステップＳ１１２で、所定の時間を経過したと判断されると（Ｓ１１２でＹ）、ステップＳ１１３にすすむ。また、ステップＳ１１２で所定の時間を経過していないと判断されると（Ｓ１１２でＮ）、ステップＳ１１１に戻る。
【００８３】
ステップＳ１１３では、制御部１０４は、記憶部１０５を参照してＷ５６のチャネルを全部確認したかどうかを判断する（Ｓ１１３）。
【００８４】
ステップＳ１１３でＷ５６のチャネルを全部確認したと判断されると（Ｓ１１３でＹ）、ステップＳ１１４にすすむ。
【００８５】
ステップＳ１１３でＷ５６のチャネルを全部確認していないと判断されると（Ｓ１１３でＮ）、ステップＳ１０９に戻る。
【００８６】
ステップＳ１１４で、制御部１０４は、ＷＡＮ無線部１０１からＷＡＮ基地局２００に対して次の情報を送信する。即ち、モバイルルータ１００の識別情報、ＧＰＳ受信部１０３から取得した位置情報、記憶部１０５に記憶するレーダ検出チャネル、および無線ＬＡＮ使用チャネルの情報である（Ｓ１１４）。
【００８７】
ステップＳ１１５では、制御部１０４は、ＬＡＮ無線部１０２に無線ＬＡＮ端末４００から接続要求があるかどうかを判断する（Ｓ１１５）。
【００８８】
ステップＳ１１５で、接続要求があると判断されると（Ｓ１１５でＹ）、ステップＳ１０４に戻る。
【００８９】
ステップＳ１１５で、接続要求がないと判断されると（Ｓ１１５でＮ）、ステップＳ１０９に戻る。
【００９０】
以上説明した様に、本実施形態に示すモバイルルータ１００は、通信中でない間、所定の時間おきに、モバイルルータの位置とチャネル使用状況を調査して、管理サーバ３００が記憶するチャネル使用状況を更新している。
【００９１】
そのため、モバイルルータ１００が無線ＬＡＮ端末４００と新たに無線ＬＡＮの接続をする際に、モバイルルータの位置に対応するチャネル使用状況に基づいた推奨チャネルで接続可能である。この推奨チャネルは、ＷＡＮ基地局２００の位置情報に基づくものでは無く、それまでに追加されたモバイルルータの位置情報に基づいている。
【００９２】
この様に、本実施形態のモバイルルータは、モバイルルータが移動しても無線ＬＡＮ基地局と適切な通信周波数で接続することが可能である。
【００９３】
尚、上記説明では、モバイルルータ１００を１台として説明したが、前述の様にモバイルルータ１００は複数であっても良い。
【００９４】
この場合、複数のモバイルルータの位置情報と、それぞれの位置情報に関連づけられたチャネルの使用状況の情報が、管理サーバ３００の記憶部３０２に記憶される。モバイルルータの数が多いほど、管理サーバは、より多数の地点におけるチャネルの使用状況を一元的に把握することが出来る。従って、モバイルルータ１００の数が増えることで管理サーバが把握する情報が増えると、任意の地点でモバイルルータ１００が接続を要求する場合に、管理サーバが推奨チャネルを指定できる可能性が高くなる。
［第２の実施形態］
次に、第２の実施形態について図１、図２、図５、および図６を参照して説明する。
［構成の説明］
図５に本実施形態の構成を示す。
【００９５】
図５で、第１の実施形態の構成を示す図１と異なる点は、管理サーバ３００が管理サーバ５００に置き換えられ、制御部３０１が制御部５０１に、記憶部３０２が記憶部５０２に置き換えられていることである。
［動作の説明］
次に本実施形態の動作について図２、図５、および図６を参照して説明する。
【００９６】
図２、および図６は、本実施形態の動作を説明する図である。
【００９７】
図２の結合子Ａ、結合子Ｂ、および結合子Ｃは、図６の結合子Ａ、結合子Ｂ、および結合子Ｃと結合する。
【００９８】
図２のステップＳ１０１からステップＳ１１５は、第１の実施形態と同じであるため、説明を省略する。
【００９９】
以下、図２の結合子Ａおよび結合子Ｂから結合子Ｃまでの動作について図６を用いて説明する。
【０１００】
図２の結合子Ａは、図６のステップＳ２０１に接続される。
【０１０１】
図２の結合子Ａに接続される図６のステップＳ２０１からステップＳ２０５は、図３のステップＳ１１６からステップＳ１２０と同じであるので説明を省略する（Ｓ２０１からＳ２０５）。
【０１０２】
ステップＳ２０５を終わると結合子Ｃから図２のステップＳ１０８にすすむ。
【０１０３】
次に、図２の結合子Ｂは、図６のステップＳ２０６に接続される。
【０１０４】
ステップＳ２０６は、記憶部３０２に位置データはあるが、推奨チャネルがない状態である。この状態は、Ｗ５６の全部のチャネルが、レーダ波か無線ＬＡＮ端末が使用しているために推奨チャネルが無い状態である。
【０１０５】
ステップＳ２０６で、管理サーバ５００は、モバイルルータ１００に対して２．４ＧＨｚ帯で無線ＬＡＮ端末４００と接続する様に指示する。そして、モバイルルータ１００は、無線ＬＡＮ端末４００と２．４ＧＨｚ帯で接続する（Ｓ２０６）。
【０１０６】
ステップＳ２０６で、モバイルルータ１００と無線ＬＡＮ端末４００が接続するプロセスは、通常の無線ＬＡＮ接続で行われているものであるので、説明を省略する。
【０１０７】
ステップＳ２０６を終わると結合子Ｃから、図２のステップＳ１０８にすすむ。
【０１０８】
以上説明した様に、本実施形態の管理サーバ５００は、Ｗ５６のチャネルがすべて使用されていると、モバイルルータ１００に無線ＬＡＮ端末４００と、２．４ＧＨｚ帯で接続する様に指示する。
【０１０９】
第１の実施形態に示す管理サーバ３００は、Ｗ５６のチャネルがすべて使用されている場合、レーダ波が使用していなければ、無線ＬＡＮ端末４００が使用しているＷ５６の何れかのチャネルで接続しようとする。
【０１１０】
一方、本実施形態の管理サーバ５００は、Ｗ５６のチャネルがすべて使用されていると
、２．４ＧＨｚ帯での接続に移行するため、２．４ＧＨｚ帯の空きチャネルで接続する可能性がある。
【０１１１】
そのため、第１の実施形態に示す管理サーバ３００より本実施形態の管理サーバ５００の方が、モバイルルータ１００と無線ＬＡＮ端末４００の接続において、高いスループットを実現する可能性が高くなる。
［第３の実施形態］
次に、第３の実施形態について図７を参照して説明する。
［構成の説明］
本実施形態の無線機器１０００は、第１の無線部１００１と、第２の無線部１００２と、位置情報受信部１００３、および制御部１００４を備える。前記第１の無線部１００１は、少なくとも１つの無線端末１２００と無線接続可能である。前記第２の無線部１００２は、管理サーバ１４００に接続される基地局１３００と無線接続可能である。位置情報受信部１００３は、位置情報を受信可能である。
【０１１２】
制御部１００４は、前記第１の無線部１００１が通信中で無ければ所定の時間毎に前記第１の無線部１００１が接続可能なチャネルを調査する。そして、制御部１００４は、前記調査の結果を前記位置情報とともに前記第２の無線部１００２と前記基地局１３００を介して前記管理サーバ１４００に送信する。
【０１１３】
制御部１００４は、前記無線端末１２００から接続要求があると前記第２の無線部１００２と前記基地局１３００を介して前記管理サーバ１４００に位置情報とともに接続可能なチャネルの指定を要求する信号を送信する。
【０１１４】
前記チャネルの指定を要求する信号を送信することで前記管理サーバ１４００から、前記管理サーバ１４００が記憶する前記位置情報に略一致する地点の接続可能チャネルを指定する信号が送信される。そして、制御部１００４は、前記管理サーバ１４００から送信される接続可能チャネルを指定する信号に従って、第１の無線部１００１が前記無線端末と接続する指示を行う。
【０１１５】
以上の様にすることで、本実施形態の管理サーバ１４００は、無線機器１０００の位置情報を用いて接続可能なチャネルを調査する。
【０１１６】
そのため、本実施形態の無線機器１０００は、無線機器１０００が移動しても無線ＬＡＮ基地局と適切な通信周波数で接続することが可能である。
【０１１７】
尚、本発明は、実施形態の機能を実現する情報処理プログラムが、システム或いは装置に直接或いは遠隔から供給される場合にも適用可能である。
【０１１８】
上記の実施形態の一部又は全部は、以下の付記のようにも記載されうるが、以下には限られない。
【０１１９】
（付記１）
少なくとも１つの無線端末と無線接続可能な第１の無線部と、
管理サーバに接続される基地局と無線接続可能な第２の無線部と、
位置情報を受信可能な位置情報受信部と、
前記第１の無線部が通信中で無ければ所定の時間毎に前記第１の無線部が接続可能なチャネルを調査した結果を前記位置情報とともに前記第２の無線部と前記基地局を介して前記管理サーバに送信し、
前記無線端末から接続要求があると前記第２の無線部と前記基地局を介して前記管理サーバに位置情報とともに接続可能なチャネルの指定を要求する信号を送信することで前記管理サーバから送信される、前記管理サーバが記憶する前記位置情報に略一致する地点の接続可能チャネルを指定する信号に従って前記第１の無線部が前記無線端末と接続する指示を行う制御部を備えることを特徴とする無線機器。
【０１２０】
（付記２）
前記第１の無線部と前記無線端末は、IEEE802.11.に規定される無線ＬＡＮのＷ５６で接続可能であり、
前記接続可能なチャネルは、前記Ｗ５６のチャネルのうち、レーダ波が検知されず、かつ無線端末が使用していないチャネルであることを特徴とする付記１に記載の無線機器。
【０１２１】
（付記３）
前記接続可能なチャネルが無い場合、前記第１の無線部は前記無線端末と２．４ＧＨｚ帯で接続することを特徴とする付記２に記載の無線機器。
【０１２２】
（付記４）
前記基地局と前記無線端末とを中継して通信可能であることを特徴とする付記１乃至付記３のいずれかに記載の無線機器。
【０１２３】
（付記５）
無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を受信して記憶する記憶部を備え、
無線端末から前記無線機器に接続要求があると、前記無線機器が前記第２の無線部と前記基地局を介して送信する、前記無線機器の位置情報と接続可能なチャネルの指定を要求する信号を受信すると、前記記憶部を参照して前記チャネルの指示を要求する信号とともに受信した前記位置情報に略一致する地点の前記接続可能なチャネルを指定する信号を前記無線機器に送信する指示を行う制御部とを備えることを特徴とする無線通信管理サーバ。
【０１２４】
（付記６）
前記第１の無線部と前記無線端末は、IEEE802.11.に規定される無線ＬＡＮのＷ５６で接続可能であり、
前記接続可能なチャネルは、前記Ｗ５６のチャネルのうち、レーダ波が検知されず、かつ無線端末が使用していないチャネルであることを特徴とする付記５に記載の無線通信管理サーバ。
【０１２５】
（付記７）
前記接続可能なチャネルが無い場合、前記第１の無線部は前記無線端末と２．４ＧＨｚ帯で接続することを特徴とする付記６に記載の無線通信管理サーバ。
【０１２６】
（付記８）
前記基地局と前記無線端末とを中継して通信可能であることを特徴とする付記５乃至付記７の何れかに記載の無線通信管理サーバ。
【０１２７】
（付記９）
付記１乃至付記４のいずれかに記載の無線機器と、
前記無線端末と、
前記基地局と、
前記無線管理サーバとを備えることを特徴とする無線通信システム。
【０１２８】
（付記１０）
前記第１の無線部と前記無線端末は、IEEE802.11.に規定される無線ＬＡＮのＷ５６で接続可能であり、
前記接続可能なチャネルは、前記Ｗ５６のチャネルのうち、レーダ波が検知されず、かつ無線端末が使用していないチャネルであることを特徴とする付記９に記載の無線通信システム。
【０１２９】
（付記１１）
前記接続可能なチャネルが無い場合、前記第１の無線部は前記無線端末と２．４ＧＨｚ帯で接続することを特徴とする付記１０に記載の無線通信システム。
【０１３０】
（付記１２）
前記基地局と前記無線端末とを中継して通信可能であることを特徴とする付記９乃至付記１１のいずれかに記載の無線通信システム。
【０１３１】
（付記１３）
無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を管理サーバが記憶し、
無線端末から前記無線機器に接続要求があると、前記無線機器は前記無線機器の位置情報とともに接続可能なチャネルの指定を要求する信号を、前記第２の無線部と前記基地局を介して前記管理サーバに送信し、
前記管理サーバは、前記チャネルの指定を要求する信号とともに受信した前記位置情報と、前記記憶部に記憶する位置情報と略一致する地点の前記接続可能なチャネルを指定する信号を前記無線機器に送信することを特徴とする無線通信方式。
【０１３２】
（付記１４）
前記第１の無線部と前記無線端末は、IEEE802.11.に規定される無線ＬＡＮのＷ５６で接続可能であり、
前記接続可能なチャネルは、前記Ｗ５６のチャネルのうち、レーダ波が検知されず、かつ無線端末が使用していないチャネルであることを特徴とする付記１３に記載の無線通信方式。
【０１３３】
（付記１５）
前記接続可能なチャネルが無い場合、前記第１の無線部は前記無線端末と２．４ＧＨｚ帯で接続することを特徴とする付記１４に記載の無線通信方式。
【０１３４】
（付記１６）
前記基地局と前記無線端末とを中継して通信可能であることを特徴とする付記１３乃至付記１５の何れかに記載の無線通信方式。
【０１３５】
（付記１７）
第１の無線部が通信中で無ければ所定の時間毎に前記第１の無線部が接続可能なチャネルを調査した結果を位置情報とともに管理サーバに送信し、
無線端末から接続要求があると前記管理サーバに位置情報とともに接続可能なチャネルの指定を要求し、
前記管理サーバから受信する前記位置情報に略一致する地点の接続可能チャネルの指定に従って前記第１の無線部が前記無線端末と接続することを特徴とする無線機器のプログラム。
【０１３６】
（付記１８）
前記第１の無線部と前記無線端末は、IEEE802.11.に規定される無線ＬＡＮのＷ５６で接続可能であり、
前記接続可能なチャネルは、前記Ｗ５６のチャネルのうち、レーダ波が検知されず、かつ無線端末が使用していないチャネルであることを特徴とする付記１７に記載の無線機器のプログラム。
【０１３７】
（付記１９）
前記接続可能なチャネルが無い場合、前記第１の無線部は前記無線端末と２．４ＧＨｚ帯で接続することを特徴とする付記１８に記載の無線機器のプログラム。
【０１３８】
（付記２０）
前記基地局と前記無線端末とを中継して通信可能であることを特徴とする付記１７乃至付記１９のいずれかに記載の無線機器のプログラム。
【０１３９】
（付記２１）
無線機器の第１の無線部が通信中で無ければ、所定の時間毎に前記第１の無線部が接続可能なチャネルを調査した結果を前記無線機器の位置情報とともに前記無線機器の第２の無線部から基地局に送信される信号を受信して記憶し、
無線端末から前記無線機器に接続要求があると、前記無線機器が前記第２の無線部と前記基地局を介して送信する、前記無線機器の位置情報と接続可能なチャネルの指定を要求する信号を受信すると、前記記憶部を参照して前記チャネルの指示を要求する信号とともに受信した前記位置情報に略一致する地点の前記接続可能なチャネルを指定する信号を前記無線機器に送信する指示を行ことを特徴とする無線通信管理サーバのプログラム。
【０１４０】
（付記２２）
前記第１の無線部と前記無線端末は、IEEE802.11.に規定される無線ＬＡＮのＷ５６で接続可能であり、
前記接続可能なチャネルは、前記Ｗ５６のチャネルのうち、レーダ波が検知されず、かつ無線端末が使用していないチャネルであることを特徴とする付記２１に記載の無線通信管理サーバのプログラム。
【０１４１】
（付記２３）
前記接続可能なチャネルが無い場合、前記第１の無線部は前記無線端末と２．４ＧＨｚ帯で接続することを特徴とする付記２２に記載の無線通信管理サーバのプログラム。
【０１４２】
（付記２４）
前記基地局と前記無線端末とを中継して通信可能であることを特徴とする付記２１乃至付記２３のいずれかに記載の無線通信管理サーバのプログラム。
【符号の説明】
【０１４３】
１０  無線通信システム
１００  モバイルルータ
１０１  ＷＡＮ無線部
１０２  ＬＡＮ無線部
１０３  ＧＰＳ受信部
１０４  制御部
１０５  記憶部
１０６  タイマ
１１３  ステップ
２００  ＷＡＮ基地局
３００  管理サーバ
３０１  制御部
３０２  記憶部
４００  無線ＬＡＮ端末
５００  管理サーバ
５０１  制御部
５０２  記憶部
１０００  無線機器
１００１  第１の無線部
１００２  第２の無線部
１００３  位置情報受信部
１００４  制御部
１２００  無線端末
１３００  基地局
１４００  管理サーバ
【図１】
2018098644.tif 000003
【図２】
2018098644.tif 000004
【図３】
2018098644.tif 000005
【図４】
2018098644.tif 000006
【図５】
2018098644.tif 000007
【図６】
2018098644.tif 000008
【図７】
2018098644.tif 000009